(57)【要約】      （修正有）【課題】開き戸部の扉で重複感を持たせる仏壇をもって、側板と棚板を組み立てたサイドボード式家具になっているインテリア仏壇ラックを提供する。【解決手段】サイドボード様式の仏具置載可能な家具において、嵌め込み用切り込み付長靴様型側板２の２枚と嵌め込み式棚板１８、１９と棚板上に置載できる扉付き収納箱８、９と棚板の固定用ネジ数個とからなり、前記嵌め込み用切り込み付長靴様型側板は、片面に定間隔に棚板の嵌め込み用切り込みを持ち、数個の規則的な棚板厚さの切り込み細長開口にして、前記嵌め込み式棚板は、長形と短形の２種類を使用して、両形とも側板に切り込み細長開口を棚板幅の半分位置までの長さにして、前記側板の細長開口に前記棚板を嵌めこみしてネジにて固定させた組み立てボード家具の棚板における最上棚板１９と最下棚板１９に両開き戸付き仏壇入れ収納箱８、９を置載できるようになっている。【選択図】図１
0003213743.tif 000002
【実用新案登録請求の範囲】
【請求項１】
仏具置載可能なサイドボード様式家具において、嵌め込み用切り込み口付長靴様型側板の２枚と嵌め込み式棚板２〜３枚と棚板上に置載できる扉付き収納箱体１〜２体と棚板の固定用ジョイントネジ数個とからなり、前記嵌め込み用切り込み口付長靴様型側板は、片面に定間隔に棚板の嵌め込み用切り込み口を、側板幅の半分位置までの長さで、数個の規則的な棚板厚さの切り込み細長開口にして、前記嵌め込み式棚板は、長形と短形の２種類でそれぞれ１〜２枚を使用して、両形とも側板に切り込み細長開口を棚板幅の半分位置までの長さにして、前記側板の細長開口に前記棚板を嵌めこみしてジョイントネジにて固定させた組み立てボード家具の棚板における最上棚板と最下棚板に両開き戸付き仏壇入れ収納箱体を置載できるようになっていることを特徴とするインテリア仏壇ラック。
【請求項２】
仏具置載可能なサイドボード様式の家具は、高さ９００〜２０００ｍｍ、幅６００〜１０００ｍｍ、奥行き３００〜５００ｍｍであり、前記長靴様型側板は、下部の長靴足先部を３６０〜５００ｍｍ長さ、１５０〜２５０ｍｍ高さに、上部の長靴脚部を２００〜４００ｍｍ長さ、７００〜１７５０ｍｍ高さにして、前記長靴様型側板部の片面に１５０〜２００ｍｍの間隔に棚板の嵌め込み用切り込みを１５〜３０ｍｍ幅、７５〜２００ｍｍ長さの細長開口を設けて、前記嵌め込み式棚板は、長形と短形の２種類でそれぞれ１〜２枚棚板１５〜３０ｍｍ厚さ、５００〜１０００ｍｍ長さであり、棚板の嵌め込み用切り込み口の細長開口を前記棚板面に３５０〜４５０ｍｍの間隔の２箇所で、１５〜３０ｍｍ幅、７５〜２００ｍｍ長さで設けていることを特徴とする請求項１に記載のインテリア仏壇ラック。
【請求項３】
サイドボード様式の仏具積載可能な家具は、厚さ１５〜３０ｍｍの無垢板、フラッシュボード、ＭＤＦ，パチクルボード、合板であって、無垢板以外の表面に突板、及び装飾紙を貼っているものを使用することも可能であり、側板、及び棚板における前面側の角部をＲ曲面にして、短形と長形との棚板の配列は、長形と短形と長形、短形と長形と短形、長形と短形の組み合わせ中から選らばれ、適宜な位置に２段又は３段に嵌め込まれていることを特徴とする請求項１、又は請求項２に記載のインテリア仏壇ラック。
【請求項４】
サイドボード様式家具の棚板の上棚板と下棚板上に置載された両開き戸付き仏壇入れ収納箱体は、高さ３５０〜５００ｍｍ、幅３５０〜５００ｍｍ、奥行き２５０〜５００ｍｍの長方体、又は正方体で、前記箱体の前面に折り畳み両開き扉、又は引き戸にして、内部に１〜３段の棚を設けていることを特徴とする請求項１、又は請求項２に記載のインテリア仏壇ラック。
【考案の詳細な説明】
【技術分野】
【０００１】この考案は、開き戸部の扉で重複感を持たせる仏壇をもって、側板と棚板を組み立てたサイドボード式家具に関する。良好な意匠性で深みのある開き戸付き仏具を収納できる収納箱をもつサイドボード式インテリア仏壇ラックに関するものである。
【背景技術】
【０００２】従来、家具のサイドボードにはデザイン性模様の化粧材が使用されていることが一般によく知られている。このデザイン性化粧材は、無垢木板、ＭＤＦ製の基材の上面に接着された突板、或いは化粧シートを張り付けて意匠性を備えていることが多い。
一般に家具のデザインは、各種の素材からなる化粧板によっても行われている。家具の部材において部分的配置などを変更してデザイン性を増すことは余り知られていない。【０００３】  木製基材板に、多数のランダムな大きさの線状の溝目要素をもって、全体として線状目模様の流動状を構成するように彫られた木板部を有する化粧板が使用された家具が示されているである（特許文献１参照）。
また家具のデザイン性を増すために、家具の化粧板の一種に、木材表面をブラッシング加工して、春材部、花模様部を削り取り、表面に凹凸を形成した後に塗装仕上げしたものも知られている（特許文献２参照）。【０００４】このデザイン性化粧板は、木質素材表面の自然の凹凸感を生かしたものとして、優れた質感のある木質材として注目されてもいる（特許文献３参照）。さらに突板を貼り合わせたものに表面を彫って模様を付けて、その中に顔料を注入して化粧板を提供している（特許文献４参照）。しかし製作において煩雑であって、高価になる。所定の板厚さの板目材の小角材及び又は挽き板を長さ方向、板幅方向、板厚さ方向の垂直方向、水平方向、略斜め方向の多数方向において積層接合した集成材で市松模様にしている化粧板である。（特許文献５参照）。【０００５】  しかし、サイドボートなどの家具のうちデザイン性が求められているものでは、使用する材料によって装飾性を向上させているのみで、扉、引出などの家具の部材の形状、それらの配置、色合いなどを変えることによってデザイン性を高めたものを示しているものは存在しない。
【先行技術文献】
【特許文献】
【０００６】
【特許文献１】特開平７−４１３３８号公報
【特許文献２】特開平１１−２６２４１７号公報
【特許文献３】特開２００２−３５３２７号公報
【特許文献４】特開平１０−５９７５１号公報
【特許文献５】特開２００１−３０１３３９７号公報
【考案の概要】
【考案が解決しようとする課題】
【０００７】本考案は、従来のサイドボード家具において、仏壇、仏具を積載、収納できる箱型容器を配置したものであり、サイドボード表面の化粧板、及び形状でのデザイン性を向上させることである。化粧板の平板の表面を、形状性で、デザイン性の木製の板、塗装された板が使用されていた。家具の表面の板の模様を変えるだけでは、意匠性に変化が乏しかった。また開き戸の扉によって、家具の表面はその化粧板によって遮蔽されており、意匠性に変化が乏しくなる。【０００９】  このような課題に対応するために、インテリア仏壇ラック家具とりわけサイドボートの棚板と側板の部分的模様と部材の配列を組み合わせて、今までにないデザイン性、形状性を高めることが必要になってきた。特に開き戸部と引出部を持つ仏壇収納容器の位置、配列と色彩などをデザイン的にすることで、装飾的サイドボードになることが期待される。【００１０】  本考案は、上記の事情に鑑みて、このサイドボートの部品の棚板の配列によってデザイン性である仏壇収納容器の前面を強調させ、側板と棚板に優れた質感の重複感の切り込み部を入れた引き戸部の表面模様を形成することのできる新しい部品の配列模様を呈したサイドボード家具を提供することを目的としている。
【課題を解決するための手段】
【００１１】サイドボード様式の仏具置載可能な家具において、嵌め込み用切り込み付長靴様型側板の２枚と嵌め込み式棚板２〜３枚と棚板上に置載できる扉付き収納箱体１〜２体と棚板の固定用ジョイントネジ数個とからなり、前記嵌め込み用切り込み付長靴様型側板は、片面に定間隔に棚板の嵌め込み用切り込みを、側板幅の半分位置までの長さで、数個の規則的な棚板厚さの切り込み細長開口にして、前記嵌め込み式棚板は、長形と短形の２種類でそれぞれ１〜２枚を使用して、両形とも側板に切り込み細長開口を棚板幅の半分位置までの長さにして、前記側板の細長開口に前記棚板を嵌めこみしてジョイントネジにて固定させた組み立てボード家具の棚板における最上棚板と最下棚板に両開き戸付き仏壇入れ収納箱体を置載できるようになっているインテリア仏壇ラックである。【００１２】仏具置載可能なサイドボード様式の家具は、高さ９００〜２０００ｍｍ、幅６００〜１０００ｍｍ、奥行き３００〜５００ｍｍであり、前記長靴様型側板は、下部の長靴足先部を３６０〜５００ｍｍ長さ、１５０〜２５０ｍｍ高さに、上部の長靴脚部を２００〜４００ｍｍ長さ、７００〜１７５０ｍｍ高さにして、前記長靴様型側板部の片面に１５０〜２００ｍｍの間隔に棚板の嵌め込み用切り込みを１５〜３０ｍｍ幅、７５〜２００ｍｍ長さの細長開口を設けて、前記嵌め込み式棚板は、長形と短形の２種類でそれぞれ１〜２枚棚板１５〜３０ｍｍ厚さ、５００〜１０００ｍｍ長さであり、棚板の嵌め込み用切り込み口の細長開口を前記棚板面に３５０〜４５０ｍｍの間隔の２箇所で、１５〜３０ｍｍ幅、７５〜２００ｍｍ長さで設けている。【００１３】サイドボード様式の仏具積載可能な家具は、厚さ１５〜３０ｍｍの無垢板、フラッシュボード、ＭＤＦ，パチクルボード、合板であって、無垢板以外の表面に突板、及び装飾紙を貼っているものを使用することも可能であり、側板、及び棚板における前面側の角部をＲ曲面にして、両形の棚板の配列として、長形と短形と長形、短形と長形と短形、長形と短形の中から選んで、適宜な位置に２〜３段に嵌め込まれている。【００１４】サイドボード家具の棚板の上棚板と下棚板上に置載された両開き戸付き仏壇入れ収納箱体は、高さ３５０〜５００ｍｍ、幅３５０〜５００ｍｍ、奥行き３５０〜５００ｍｍの長方体、又は正方体で、前記箱体の前面に折り畳み両開き扉、又は引き戸にして、内部に１〜３段の棚を設けている。
【考案の効果】
【００１５】  以上のように、本考案の木製板のサイドボード様式の仏具積載可能な家具において、側板と棚部と仏壇収納箱を持つサイドボード家具体によって、仏壇サイドボード家具の意匠性と趣を維持しながら、美観的デザイン性を向上させることができ、狭い場所で簡単に組み立て形状的に製造面でもコストを削減することができる。【００１６】  木製板のインテリア仏壇ラックにおいて、中心部で仏壇収納箱の形状配置における棚板、側板の色合いと模様表現による意匠性、質感ともに優れた装飾板にして、狭い部屋内に和風的で、現代的な仏壇付き特性の木質であるサイドボード家具が提供される。
【図面の簡単な説明】
【００１７】
【図１】角形様デザイン性サイドボード家具のインテリア仏壇ラック斜視図
【図２】開き戸付きインテリア仏壇ラック家具の正面図
【図３】開き戸付きインテリア仏壇ラック部品の図  Ａ：側板大  Ｂ：側板小  Ｃ：棚板大  Ｄ：棚板小
【図４】インテリア仏壇ラック仏壇部の正面図と扉の開閉部の図  Ａ：仏壇部正面図  Ｂ：仏壇部開閉部の図  Ｃ：収納部正面図  Ｄ：収納部開閉部の図
【図５】仏壇箱別様式のデザイン性インテリア仏壇ラックの図  Ａ：正面  Ｂ：側面  Ｃ：棚板大  Ｄ：棚板小
【考案を実施するための形態】
【００１７】以下、本考案を実施するための最良の形態について説明する。
図１は、角形様デザイン性サイドボード家具の斜視図、図２は、開き戸、引出部付き角形様デザイン性サイドボード家具の正面図、図３は、引出部付き角形様デザイン性サイドボード家具の正面図、図４は、木製化粧板の開き戸部と引出部と棚部の正面図である
【実施例１】
【００１８】図１に示すように、サイドボード様式の仏具積載可能な家具（インテリア仏壇ラック）は、高さ１６００ｍｍ、幅９００ｍｍ、奥行き４００ｍｍのウォールナットで製作され、前記長靴様型側板は、下部の長靴脚部４００ｍｍ長さ、２００ｍｍ高さに、上部の側板部２５０ｍｍ長さ、１４００ｍｍ高さにして、側板部の片面に１５０ｍｍの間隔に棚板の嵌め込み用切り込み開口部を２０ｍｍ幅、１００〜２００ｍｍ長さを設けて、前記嵌め込み式棚板は、長形と短形の２種類で長形を１枚棚板２０ｍｍ厚さ、６００ｍｍ２枚と９００ｍｍ１枚の長さ、棚板の嵌め込み用切り込み開口部に４００ｍｍの間隔で、２０ｍｍ幅、１５０ｍｍ長さを設け、図３に示すようにそれぞれ部品をジョイントネジによって固定した。【００２０】サイドボード様式の仏具積載可能な家具は、図３に示すように厚さ２０ｍｍの無垢板であって、側板、及び棚板における前面の角部をＲ曲面にして、両形の棚板の配列として、短形と長形と短形、３段に嵌め込まれた。【００２１】図４に示すようにサイドボード家具の棚板の上下棚板上に置載された両開き戸付き仏壇入れ収納箱体は、高さ４００ｍｍ、幅４００ｍｍ、奥行き３５０ｍｍの長方体で前面に折り畳み両開き扉、又は引き戸にして、内部に２段の棚を設けた。
【実施例２】
【００１８】実施例１と同様に、図１のような仏具置載可能なサイドボード様式の家具は、高さ１６００ｍｍ、幅６００ｍｍ、奥行き４００ｍｍのヒノキであり、前記長靴様型側板は、下部の長靴足先部を４００ｍｍ長さ、１５０ｍｍ高さに、上部の長靴脚部を２００ｍｍ長さ、１４５０ｍｍ高さにして、前記長靴様型側板部の片面に１５０ｍｍの間隔に棚板の嵌め込み用切り込みを２０ｍｍ幅、１００ｍｍ長さの細長開口を設けて、前記嵌め込み式棚板は、長形と短形の２種類でそれぞれ１枚棚板２０ｍｍ厚さ、７００ｍｍと９００ｍｍ長さであり、棚板の嵌め込み用切り込み口の細長開口を前記棚板面に４５０ｍｍの間隔の２箇所で、２０ｍｍ幅、１００ｍｍ長さで設けた。【００２０】サイドボード様式の仏具積載可能な家具は、厚さ２０ｍｍの無垢板であって、側板、及び棚板における前面の角部をＲ曲面にして、両形の棚板の配列として、長形と短形から選んで、適宜な位置に２段に嵌め込まれた。【００２１】サイドボード家具の棚板の上下棚板上に置載された両開き戸付き仏壇入れ収納箱体は、高さ４００ｍｍ、幅４００ｍｍ、奥行き４００ｍｍの正方体で前面に折り畳み両開き扉にして、内部に２段の棚を設けた。
【実施例３】
【００２４】図５に示すように家具のデザイン性を増すために、４角形の形状した側板枠体にあって、中心部に類似の形状体を設けて、中心の４角形の形状体の開き戸部、引出部になって、その周囲に４段の棚板に配列して角形周囲に中心部同形の形状をもたせて、中心平板状の開き戸部、引出部を浮いたようなデザインに組み合わせにした。【００２５】４角形の形状した側板枠体は、大きさを縦５００ｍｍ、横１０００ｍｍ、奥行き４００ｍｍであって、中心部の４角形の形状体の開き戸部、引出部は２個であって、外側の周囲の大きさより１／３にした。【００２６】棚板は、厚さ２０ｍｍ、縦６００ｍｍ、横４０００ｍｍで、奥行き３００ｍｍの木製板で、中心部の周囲に左右４段の棚部に上下に２枚の仕切り板を嵌め込めており、各部の高さを１５０ｍｍであって、中心部の開き戸部、引出部を位置して、当該開き戸部、引出部の大きさとして縦４００ｍｍ、横４００ｍｍにした。
【符号の説明】
【００２７】１．インテリア仏壇ラック
２．側板
４．棚板
５．開口部
６．嵌め込み部
７．切り込み部
８．仏壇箱
９．収納箱
１０．扉
１１．開閉
１２．仏壇
１３．付属品
１４．引き戸
１５．開戸
１６．仕切り板
１７．ジョイントネジ
１８．棚板大型
１９．棚板小小型
２０．引き出し
【図１】
0003213743.tif 000003
【図２】
0003213743.tif 000004
【図３】
0003213743.tif 000005
【図４】
0003213743.tif 000006
【図５】
0003213743.tif 000007